(57)【要約】【課題】  プラグイン式のブレーカを接続するための銅バーをハウジング側面等に配置する際に、ハウジングの内部回路とは独立した銅バーを省スペースで取付できる銅バー取付構造を提供する。【解決手段】  分岐ブレーカ６が接続される銅バー７ａは、左右方向に帯状を成して複数の分岐ブレーカ６の接続が可能な銅バー本体１６と、取付対象に装着される銅バー固定部材１３に固定するための固定部１７とを有し、固定部１７は銅バー本体１６後部において直交方向に折り曲げ形成されて、折り曲げ方向に幅広に形成された固定片１７ａを左右に有し、銅バー固定部材１３は固定片１７ａを把持する把持部１４を備えている。【選択図】  図１
2020137132.tif 000002
【特許請求の範囲】
【請求項１】
ブレーカのプラグイン式の端子を接続するための銅バーを、銅バー固定部材を介して取付対象に取り付ける銅バー取付構造であって、
前記銅バーは、前記ブレーカの接続方向である前方に突出されると共に左右方向に帯状を成す銅バー本体と、前記銅バー固定部材に固定するために前記銅バー本体の後部に設けられた固定部とを有し、
前記固定部は、前記銅バー本体に対して直交方向に折り曲げ形成されて、折り曲げ方向に幅広に形成された固定片を左右に有する一方、前記銅バー固定部材には前記固定片を把持する把持部が設けられ、
前記銅バーが前記把持部に把持されて前記銅バーが固定されることを特徴とする銅バー取付構造。
【請求項２】
前記把持部は、弾性を有する腕片の先端に前記固定片を把持する把持爪を有して成り、
前記腕片は、湾曲部を有して前方へ突設されて成ることを特徴とする請求項１記載の銅バー取付構造。
【請求項３】
前記銅バー固定部材は、把持した銅バーの上下方向の回動を阻止するために、把持した前記固定部の背面に当接する背面当接部と、前記銅バー本体の上面に当接する上面当接部とを有していることを特徴とする請求項１又は２記載の銅バー取付構造。
【発明の詳細な説明】
【技術分野】
【０００１】
本発明は、プラグイン式のブレーカを接続するための銅バーを配置する銅バー取付構造に関する。
【背景技術】
【０００２】
複数の分岐ブレーカを直接接続可能とした切替開閉器がある。例えば、特許文献１に記載された切替開閉器は、ハウジングの側面に銅バーを突出させて配置し、複数のプラグイン式の分岐ブレーカの接続が可能となっている。この結果、別途銅バーを配設するスペースを設けること無く分岐ブレーカの接続ができ、省スペースで切替開閉器と分岐ブレーカの組み付けが可能となった。
【先行技術文献】
【特許文献】
【０００３】
【特許文献１】特開２０１７−１９９６２０号公報
【発明の概要】
【発明が解決しようとする課題】
【０００４】
上記特許文献１の切替開閉器では、個々の銅バーはハウジング内で切替機構部の接点から延設された導体に接続されているため、ハウジング内での十分な固定が可能であり、ハウジングから銅バーを突出させるだけの外観であっても銅バーを堅牢に取り付けることができた。
しかしながら、ハウジング内で内部回路に接続することの無い銅バーをハウジングの側面等に取り付ける場合は、ハウジング側面に別途銅バーを固定する構造を設ける必要があるし、そのためのスペースも必要となる。
【０００５】
そこで、本発明はこのような問題点に鑑み、プラグイン式のブレーカを接続するための銅バーをハウジング側面等に配置する際に、ハウジングの内部回路とは独立した銅バーを省スペースで取付できる銅バー取付構造を提供することを目的としている。
【課題を解決するための手段】
【０００６】
上記課題を解決する為に、請求項１の発明は、ブレーカのプラグイン式の端子を接続するための銅バーを、銅バー固定部材を介して取付対象に取り付ける銅バー取付構造であって、銅バーは、ブレーカの接続方向である前方に突出されると共に左右方向に帯状を成す銅バー本体と、銅バー固定部材に固定するために銅バー本体の後部に設けられた固定部とを有し、固定部は、銅バー本体に対して直交方向に折り曲げ形成されて、折り曲げ方向に幅広に形成された固定片を左右に有する一方、銅バー固定部材には固定片を把持する把持部が設けられ、銅バーが把持部に把持されて固定されることを特徴とする。
この構成によれば、銅バーの固定片は銅バー本体と直交する方向、すなわち接続するブレーカに直交する方向に形成されているため、幅広に形成されてもブレーカの前後方向への突出量は僅かで済み、省スペースで銅バーを固定できる。
【０００７】
請求項２の発明は、請求項１に記載の構成において、把持部は、弾性を有する腕片の先端に固定片を把持する把持爪を有して成り、腕片は湾曲部を有して前方へ突設されて成ることを特徴とする。
この構成によれば、把持爪に弾性を持たせるための腕片は、銅バー固定部材から湾曲部を有して形成されているため、ブレーカ方向への突出量が僅かでも十分な弾性を持たせることができ、省スペースで把持部を形成することができる。
【０００８】
請求項３の発明は、請求項１又は２に記載の構成において、銅バー固定部材は、把持した銅バーの上下方向の回動を阻止するために、把持した固定部の背面に当接する背面当接部と、銅バー本体の上面に当接する上面当接部とを有していることを特徴とする。
この構成によれば、把持部に把持された銅バーは、銅バー固定部材に設けられている背部当接部及び上部当接部に当接することででロックされる。よって、上下方向の回動が確実に阻止され、安定した状態で固定される。
【発明の効果】
【０００９】
本発明によれば、銅バーの固定片は銅バー本体と直交する方向、すなわち接続するブレーカに直交する方向に幅広に形成されているため、幅広に形成されてもブレーカの前後方向への突出量は僅かで済み、省スペースで銅バーを固定できる。
【図面の簡単な説明】
【００１０】
【図１】本発明に係る銅バー取付構造の一例を示す斜視図であり、銅バーと銅バー固定部材を分離した状態を示している。
【図２】図１のＡ−Ａ線断面説明図である。
【図３】切替開閉器に図１の銅バー取付構造を採用した切替開閉器の要部正面説明図である。
【図４】図３の切替開閉器の斜視図であり、銅バーに電線を接続して充電した状態を示している。
【図５】銅バーに分岐ブレーカを接続した切替開閉器の説明図である。
【図６】図５の接続状態での切替開閉器の回路図である。
【発明を実施するための形態】
【００１１】
以下、本発明を具体化した実施の形態を、図面を参照して詳細に説明する。図１，２は本発明に係る銅バー取付構造の一例を示し、図１は銅バーと銅バー固定部材を分離した斜視図、図２は図１のＡ−Ａ線断面説明図であり、銅バーを銅バー固定部材に取り付けた状態を合わせて示している。
図１，２において、７ａは銅バー、１３は銅バー固定部材である。銅バー７ａは、ブレーカのプラグイン式の一次側端子が接続される板状の銅バー本体１６と、銅バー固定部材１３に係止固定される固定部１７とを有し、更にこの実施形態では銅バー７ａを充電するための電線を溶接する溶接部１８を銅バー７ａの端部に設けている。
一方、銅バー固定部材１３は、銅バー７ａを把持する把持部１４を有し、３枚の銅バー７ａを上下に重ねるように把持可能としている。
【００１２】
銅バー本体１６は、複数のブレーカの接続を可能とするために横長の帯状に形成され、ブレーカに挿入されて接続される前端部は、テーパ面１６ａを設けてブレーカの接続を容易にしている。また溶接部１８は、銅バー本体１６の一方の側部に形成されている。
【００１３】
固定部１７は、図２に示すように銅バー本体１６の背部を下方に直角に折り曲げて形成され、折り曲げた辺の左右に固定片１７ａが形成されている。固定片１７ａは、銅バー本体１６に直交する縦方向に幅広に形成されており、この固定片１７ａが把持部１４に把持されて銅バー７ａは固定される。
【００１４】
把持部１４は、固定片１７ａを把持する把持爪１４ａ、固定部１７の背面に当接する背面当接部１４ｂ、銅バー本体１６の上面に当接する上面当接部１４ｃを有している。
把持爪１４ａは、固定片１７ａの上下方向の幅に合わせて上下に対を成して配置され、固定部１７の左右に形成されている固定片１７ａを把持するよう、対応する左右に設けられており、１枚の銅バー７ａは計４個の把持爪１４ａで把持される。
【００１５】
そして、把持爪１４ａは銅バー固定部材１３の横方向に配設された棒状のフレーム部１３ｂの上下から前方に突出した腕片１３ｃの先端に形成されている。この腕片１３ｃは、図２に示すようにフレーム部１３ｂの後方に向けて立ち上げ形成され、Ｕ字状に折り曲げて形成された湾曲部Ｂが設けられ、その後前方に突出させている。この先端に把持爪１４ａが設けられている。
【００１６】
こうして、把持爪１４ａにより上下から固定片１７ａが把持されると、固定部１７の背面が背面当接部１４ｂに当接し、更に銅バー本体１６の後部上面が上部当接部１４ｃに当接し、銅バー７ａは、上下方向の回動が阻止され安定した状態で固定される。
【００１７】
図３は銅バー固定部材１３を取付対象である切替開閉器１へ取り付けて、分岐ブレーカ接続部７を形成した状態を示し、ハウジング１０のカバーを外した状態を示している。銅バー固定部材１３は、図３に示すように、切替開閉器１のハウジング１０の下部左右に形成された挿入溝１０ａ、１０ｂに、左右端部を合致させて挿入することで、ハウジング１０に固定される。挿入溝１０ａ，１０ｂはハウジング１０の前後方向に亘り形成されている。
尚、切替開閉器１は、ねじ式端子で構成された第１電源端子２ａ、速結端子で構成された第２電源端子２ｂ、出力端子３（図６に示す）を有している。但し、図３では出力端子３は省略してあり、Ｃ部が出力端子３の配置部を示している。
【００１８】
図４は、銅バー７ａに電線１２を接続して充電した状態を示し、図５は銅バー７ａに分岐ブレーカ６を接続した状態を示している。５は主幹ブレーカであり、出力端子３に主幹ブレーカ５の一次側端子が接続され、その二次側端子５２が電線１２を介して銅バー７ａに接続されている。電線１２は銅バー７ａに溶接されて接続される。
また図５において、４は切替操作する操作ハンドルであり、切替開閉器１はこの操作ハンドル４の操作で第１電源端子２ａと第２電源端子２ｂとが切り替えられて、出力端子３に接続される。
尚、主幹ブレーカ５、分岐ブレーカ６、及び切替開閉器１は、共通する基台１１に取り付けられて固定され、互いが連結される。
【００１９】
そして図６は、このように接続された切替開閉器１の回路図を示している。１ａは操作ハンドル４の操作で切り替わる切替接点部を示し、主幹ブレーカ５が出力端子３に接続され、２台の分岐ブレーカ６が分岐ブレーカ接続部７に接続された回路を示している。
【００２０】
このように、銅バー７ａの固定片１７ａは、接続される分岐ブレーカ６の方向である銅バー本体１６の突出方向と直交する方向に形成されているため、幅広に形成されてもブレーカ方向への突出量は僅かで済み、省スペースで銅バー７ａを固定できる。
また、把持爪１４ａに弾性を持たせるための腕片１３ｃは、銅バー固定部材１３のフレーム部１３ｂから湾曲部Ｂを有して形成されているため、ブレーカ方向への突出量が僅かでも十分な弾性を持たせることができ、省スペースで把持部１４を形成することができる。
更に、把持部１４に把持された銅バー７ａは、銅バー固定部材１３に設けられている背部当接部１４ｂと上部当接部１４ｃに当接することででロックされるため、上下方向の回動が確実に阻止され、安定した状態で固定される。
【００２１】
尚、図５では、２つの分岐ブレーカ６を接続した状態を示しているが、図１の銅バー７ａは、５台の分岐ブレーカ６を接続可能な幅を有している。
また上記実施形態では、把持部の腕片が１つの湾曲部Ｂを有して形成されているが、湾曲部は１つの腕片１３ｃに複数設けても良い。
【符号の説明】
【００２２】
１・・切替開閉器（取付対象）、６・・分岐ブレーカ（ブレーカ）、７・・分岐ブレーカ接続部、７ａ・・銅バー、１０・・ハウジング、１２・・電線（接続手段）、１３・・銅バー固定部材、１３ｃ・・腕片、１４・・把持部、１４ａ・・把持爪、１４ｂ・・背面当接部、１４ｃ・・上面当接部、１６・・銅バー本体、１７・・固定部、１７ａ・・固定片、Ｂ・・湾曲部。
【図１】
2020137132.tif 000003
【図２】
2020137132.tif 000004
【図３】
2020137132.tif 000005
【図４】
2020137132.tif 000006
【図５】
2020137132.tif 000007
【図６】
2020137132.tif 000008